(57)【特許請求の範囲】
【請求項１】
方法であって、
端末によって、広帯域プリコーディングマトリックスインジケータ(PMI)の全てのビットでない少なくとも1ビットをランク表示(RI)と一緒に符号化して、符号化情報を取得するステップであって、前記ＲＩと一緒に符号化される前記広帯域ＰＭＩの前記少なくとも１ビットは、前記広帯域ＰＭＩの最上位ビット(MSB)を含むが、前記広帯域ＰＭＩの最下位ビット(LSB)を含んでいない、ステップと、
前記端末によって、前記符号化情報をデータ送信端に送信するステップと、
を具備することを特徴とする方法。
【請求項２】
前記端末によって、前記符号化情報を前記データ送信端に送信する前記ステップが、前記端末によって、物理アップリンク制御チャネル（PUCCH）または物理アップリンク共有チャネル（PUSCH）を介して前記符号化情報を送信するステップを含むことを特徴とする請求項1に記載の方法。
【請求項３】
前記端末が前記PUSCHを介して前記符号化情報を送信し、前記符号化情報が、復調パイロットまたは基準信号の両側の位置にチャネルインターリーバを介してマップされることを特徴とする請求項2に記載の方法。
【請求項４】
前記PUSCHが多入力多出力（MIMO）マルチレイヤ送信を利用し、前記符号化情報が送信のためにすべての層にマップされることを特徴とする請求項2又は3に記載の方法。
【請求項５】
前記データ送信端は、基地局であるか、又は、ノードＢであることを特徴とする請求項1から4のいずれか一項に記載の方法。
【請求項６】
方法であって、
データ送信端によって、端末からの符号化情報を受信するステップと、
前記データ送信端によって、前記受信した符号化情報を復号するステップと、
を具備し、
前記受信した符号化情報は、広帯域プリコーディングマトリックスインジケータ(PMI)の全てのビットでない少なくとも１ビットとランク表示(RI)とを一緒に符号化することにより形成され、前記ＲＩと一緒に符号化される広帯域ＰＭＩの前記少なくとも１ビットは、前記広帯域ＰＭＩの最上位ビット(MSB)を含むが、前記広帯域ＰＭＩの最下位ビット(LSB)を含んでいないことを特徴とする方法。
【請求項７】
前記データ送信端によって、符号化情報を受信する前記ステップが、物理アップリンク制御チャネル（PUCCH）または物理アップリンク共有チャネル（PUSCH）を介して前記符号化情報を前記データ送信端で受信するステップを含むことを特徴とする請求項６に記載の方法。
【請求項８】
前記データ送信端が前記PUSCHを介して前記符号化情報を受信し、前記符号化情報が、復調パイロットまたは基準信号の両側の位置にチャネルインターリーバを介してマップされることを特徴とする請求項7に記載の方法。
【請求項９】
前記PUSCHが多入力多出力（MIMO）マルチレイヤ送信を採用し、前記符号化情報が送信のためにすべての層にマップされることを特徴とする請求項7又は8に記載の方法。
【請求項１０】
前記データ送信端は、基地局であるか、又は、ノードＢであることを特徴とする請求項６から９のいずれか一項に記載の方法。
【請求項１１】
端末装置であって、
符号化情報を取得するために、広帯域プリコーディングマトリックスインジケータ(PMI)の全てのビットでない少なくとも1ビットをランク表示(RI)と一緒に符号化するように構成されている情報符号化ユニットであって、前記ＲＩと一緒に符号化される前記広帯域ＰＭＩの少なくとも1ビットは、前記広帯域ＰＭＩの最上位ビット(MSB)を含むが、前記広帯域ＰＭＩの最下位ビット（ＬＳＢ）を含んでいない、情報符号化ユニットと、
前記符号化情報をデータ送信端に送信するように構成されている情報送信ユニットと、
を具備することを特徴とする端末装置。
【請求項１２】
前記符号化情報は、物理アップリンク制御チャネル(PUCCH)、又は、物理アップリンク共有チャネル(PUSCH)を介して送信されることを特徴とする請求項１１に記載の端末装置。
【請求項１３】
前記符号化情報は、前記物理アップリンク共有チャネル(PUSCH)を介して送信され、前記符号化情報は、復調パイロットまたは基準信号の両側のリソース位置にチャネルインターリーバを介してマップされることを特徴とする請求項１２に記載の端末装置。
【請求項１４】
マッピング関係は、ＰＭＩとプリコーディングマトリックスの間に存在し、前記マッピング関係が、異なるMSBを有する２つのＰＭＩに対応するプリコーディングマトリックス間の距離を、異なる最下位ビット(LSB)を有する２つのＰＭＩに対応するプリコーディングマトリックス間の距離よりも大きくなるようにすることを可能とすることを特徴とする請求項１２に記載の端末装置。
【請求項１５】
前記データ送信端は、基地局であるか、又は、ノードＢであることを特徴とする請求項１１から１４のいずれか一項に記載の端末装置。
【請求項１６】
ネットワークデバイスであって、
端末から符号化情報を受信するように構成されている情報受信ユニットと、
前記符号化情報を復号するように構成されている復号ユニットと、
を具備し、
前記受信した符号化情報は、広帯域プリコーディングマトリックスインジケータ(PMI)の全てのビットでない少なくとも１ビットとランク表示(RI)とを一緒に符号化されることにより形成され、前記ＲＩと一緒に符号化される広帯域ＰＭＩの前記少なくとも１ビットは、前記広帯域ＰＭＩの最上位ビット(MSB)を含むが、前記広帯域ＰＭＩの最下位ビット(LSB)を含んでいないことを特徴とするネットワークデバイス。
【請求項１７】
前記符号化情報は、物理アップリンク制御チャネル(PUCCH)、又は、物理アップリンク共有チャネル(PUSCH)を介して受信されることを特徴とする請求項１６に記載のネットワークデバイス。
【請求項１８】
前記符号化情報は、前記PUSCHを介して受信され、前記符号化情報は、復調パイロットまたは基準信号の両側のリソース位置にチャネルインターリーバを介してマップされることを特徴とする請求項１７に記載のネットワークデバイス。
【請求項１９】
前記PUSCHが、多入力多出力（MIMO）マルチレイヤ送信を利用し、前記符号化情報が、送信のためにすべての層にマップされることを特徴とする請求項１７に記載のネットワークデバイス。
【請求項２０】
前記ネットワークデバイスは、基地局であるか、又は、ノードＢであることを特徴とする請求項１６から１９のいずれか一項に記載のネットワークデバイス。
【請求項２１】
コンピュータに、請求項１から１０のいずれか一項に記載の方法を実行させるためのプログラムを記録したコンピュータ読み取り可能な記録媒体。
【発明の詳細な説明】
【技術分野】
【０００１】
本発明は、通信技術の分野に関し、詳細には、プリコーディング情報を送受信する方法およびデバイスに関する。
【背景技術】
【０００２】
通信技術の絶え間ない発展によって、データ送信の性能を向上させるために、データ送信端(たとえば、NodeB(ノードB)またはBS(Base Station、基地局))は、端末(たとえば、UE(User Equipment、ユーザ機器)またはMS(Mobile Station、移動局))によってフィードバックされるプリコーディング情報(たとえば、PMI(Precoding Matrix Indicator、プリコーディングマトリックスインジケータ))およびローカルにあらかじめ記録されたコードブックに従って送るべきデータを事前に処理し、次いで、データ送信処理がチャネル状態の変化に適応できるように、データを端末に送信し、それによってデータ送信の性能を向上させることができる。したがって、プリコーディング情報をどのように送受信するかは、重要である。
【０００３】
既存の3GPP LTE R8(3rd Generation Partnership Project Long Term Evolution Release 8)システムは、単一のコードブックを採用し、コードブックのプリコーディングマトリックスは、単一のPMI(Precoding Matrix Indicator、プリコーディングマトリックスインジケータ)によってインデックスを付けられ、PUCCH(Physical Uplink Control Channel、物理アップリンク制御チャネル)およびPUSCH(Physical Uplink Shared Channel、物理アップリンク共有チャネル)を介してそれぞれ周期的および非周期的に報告され得る。
【発明の概要】
【発明が解決しようとする課題】
【０００４】
本発明の実装において、従来技術は少なくとも以下の問題を有している。
【０００５】
広帯域プリコーディングマトリックスインジケータPMIは、誤り伝搬を容易に招く。したがって、システム性能を向上させるために、報告モードをさらに検討することが必要である。
【課題を解決するための手段】
【０００６】
本発明の実施形態は、システム性能を向上させるために、プリコーディング情報を送受信する方法およびデバイスを提供する。
【０００７】
一態様では、本発明の一実施形態は、プリコーディング情報を送る方法を提供し、この方法は、
端末によって、広帯域プリコーディングマトリックスインジケータPMIを取得するステップと、
端末によって、広帯域PMIのMSBを別に符号化するか、または広帯域PMIのMSBおよびNビットの他の情報を一緒に符号化して、符号化情報を取得するステップであり、MSBが広帯域PMIの一部であり、Nが自然数である、ステップと、
端末によって、符号化情報をデータ送信端に送るステップと、
を含む。
【０００８】
一態様では、本発明の一実施形態は、プリコーディング情報を受信する方法を提供し、この方法は、
データ送信端によって、端末によって送られた符号化情報を受信するステップであり、
符号化情報が、広帯域PMIのMSBを別に符号化するか、または広帯域PMIのMSBおよびNビットの他の情報を一緒に符号化することによって、端末が広帯域プリコーディングマトリックスインジケータPMIを取得した後に取得された情報であり、MSBが広帯域PMIの一部であり、Nが自然数である、ステップを含む。
【０００９】
別の態様では、本発明の一実施形態は、プリコーディング情報を送るデバイスを提供し、このデバイスは、
広帯域プリコーディングマトリックスインジケータPMIを取得するように構成された情報取得ユニットと、
広帯域PMIのMSBを別に符号化するか、または広帯域PMIのMSBおよびNビットの他の情報を一緒に符号化して、符号化情報を取得するように構成された情報符号化ユニットであり、MSBが広帯域PMIの一部であり、Nが自然数である、情報符号化ユニットと、
情報符号化ユニットによって符号化された情報をデータ送信端に送るように構成された情報送信ユニットと、
を含む。
【００１０】
別の態様では、本発明の一実施形態は、プリコーディング情報を受信するデバイスを提供し、このデバイスは、
端末によって送られた符号化情報を受信するように構成された情報受信ユニットであり、
符号化情報が、広帯域PMIのMSBを別に符号化するか、または広帯域PMIのMSBおよびNビットの他の情報を一緒に符号化することによって、端末が広帯域プリコーディングマトリックスインジケータPMIを取得した後に取得された情報であり、MSBが広帯域PMIの一部であり、Nが自然数である、ユニットを含む。
【００１１】
本発明の実施形態では、広帯域PMIのMSBが別に符号化され、次いで送られ、または広帯域PMIのMSBおよびNビットの他の情報が一緒に符号化され、次いで送られ、これによって、広帯域プリコーディング情報の信頼性が向上し、誤り伝搬が低減し、その結果プリコーディング性能がさらに向上する。
【図面の簡単な説明】
【００１２】
【図１】本発明の一実施形態によって提供されるプリコーディング情報を送受信する方法の概略フローチャートである。
【図２】本発明の一実施形態によって提供されるPUSCHにおける符号化情報のリソースマッピングの概略フローチャートである。
【図３】本発明の一実施形態によって提供されるPUSCHにおける符号化情報のリソースマッピングの別の概略フローチャートである。
【図４】本発明の一実施形態によって提供されるプリコーディング情報を送受信する別の方法の概略フローチャートである。
【図５】本発明の一実施形態によって提供されるプリコーディング情報を送るデバイスの概略構造図である。
【図６】本発明の一実施形態によって提供されるプリコーディング情報を受信するデバイスの概略構造図である。
【発明を実施するための形態】
【００１３】
本発明の目的、技術的ソリューション、および利点をより明白にするために、本発明の実施形態について、添付の図面を参照して以下で詳述する。
【００１４】
図1を参照すると、本発明の一実施形態は、プリコーディング情報を送る方法を提供し、システム帯域幅は、少なくとも1つのサブバンドに分割され、方法は次のステップを含む。
【００１５】
101:端末は、広帯域PMIを取得する。
【００１６】
具体的には、端末は、あらかじめ設定された基準に従って広帯域PMIを取得することができ、明らかに、従来技術における他の方法に従って広帯域PMIを取得することもできる。端末があらかじめ設定された基準に従って広帯域PMIを取得する一例では、端末は、あらかじめ設定された基準1に基づいて広帯域プリコーディングマトリックスインジケータPMIを計算することができ、これは、具体的には式(1)に示される。
【００１７】
【数１】
0005967727.tif 000002
【００１８】
式中、Wjは、単一のコードブックCにおける符号語を表し、f1(Wj)は、あらかじめ設定された基準1に対応するシステム帯域幅およびプリコーディングマトリックスWjの目的関数(objective function)を表す。あらかじめ設定された基準1は、スループット最大化基準(throughput maximization criterion)とすることができ、基準に対応する目的関数は、スループット最大化関数とすることができ、スループット最大化関数は、情報容量計算(information capacity calculation)に基づいて、または、相互情報もしくは相互情報の変形(たとえば、相互情報の加重)に基づいて実施することができることに留意されたい。あらかじめ設定された基準1が容量最大化基準である実施形態は、上記の実施形態と類似しており、ここではさらなる詳述はしない。明らかに、あらかじめ設定された基準に対応する目的関数は、実際的な使用条件に従って柔軟に設定することもでき、これはここでは特に制限されない。
【００１９】
あるいは、端末は、あらかじめ設定された基準2に基づいて広帯域プリコーディングマトリックスインジケータPMIを計算し、これは、具体的には式(2)および(3)に示される。
【００２０】
【数２】
0005967727.tif 000003
【００２１】
および
【００２２】
【数３】
0005967727.tif 000004
【００２３】
式中、
【００２４】
【数４】
0005967727.tif 000005
【００２５】
は、プリコーディングマトリックスを表し、2つの行列
【００２６】
【数５】
0005967727.tif 000006
【００２７】
および
【００２８】
【数６】
0005967727.tif 000007
【００２９】
の関数である。行列
【００３０】
【数７】
0005967727.tif 000008
【００３１】
および
【００３２】
【数８】
0005967727.tif 000009
【００３３】
は、それぞれjk,1およびjk,2を介して、2つのコードブックC1およびC2からインデックスが付けられ、それぞれチャネルの広帯域特性および周波数選択性特性を示すために使用される。
【００３４】
【数９】
0005967727.tif 000010
【００３５】
は、あらかじめ設定された基準2に対応するシステム帯域幅および広帯域プリコーディングマトリックス
【００３６】
【数１０】
0005967727.tif 000011
【００３７】
の目的関数を表す。fs(i,Wj)は、あらかじめ設定された基準2に対応するサブバンドiおよびプリコーディングマトリックスWjの目的関数を表し、NSは、システム帯域幅を形成するサブバンドの合計数である。ここで、jk,1は、広帯域プリコーディングマトリックスインジケータ、すなわち、広帯域PMIと呼ばれる。
【００３８】
あらかじめ設定された基準2は、スループット最大化基準とすることができ、基準に対応する目的関数は、スループット最大化関数とすることができ、スループット最大化関数は、情報容量計算に基づいて、または、相互情報もしくは相互情報の変形(たとえば、相互情報の加重)に基づいて実施することができることに留意されたい。明らかに、あらかじめ設定された基準に対応する目的関数は、実際の使用条件に従って柔軟に設定することもでき、これはここでは特に制限されない。
【００３９】
さらに、広帯域PMIを取得した後、方法は、以下のステップを含むこともできる。
【００４０】
102:端末は、広帯域PMIのMSB(Most Significant Bits、最上位ビット)を別に符号化する。
この場合、MSBは、広帯域PMIの一部でもよい。
【００４１】
具体的には、ステップ101で取得された広帯域PMIのMSB(Most Significant Bits、最上位ビット)は、a0, a1, a2, a3, ..., aA-1によって表され、ここではAは、広帯域PMIのMSBのビットの数である。
【００４２】
端末は、1つのコード(20,A)(3GPP LTE TS 36.212 V9.0.0を参照)によってステップ101で取得された広帯域PMIのMSBを符号化することができ、コード(20,A)の符号語は、13個の基本系列の線形結合であり、基本系列は、Mi,n、i = 0, …, 19、n = 0, …, 12と表すことができ、具体的には、Mi,nは3GPP LTE TS 36.212 V9.0.0の表5.2.3.3-1に示すように定義することができる。符号化ビットはb0, b1, b2, b3, ..., b19と表すことができ、各ビットは、次のように表すことができる。
【００４３】
【数１１】
0005967727.tif 000012
【００４４】
明らかに、適用された符号化方法は、実際的な使用条件に従って柔軟に選択することもでき、これはここでは特に制限されない。
【００４５】
さらに、広帯域PMIのMSBは広帯域PMIの一部でもよく、または広帯域PMIのすべてのビットでもよいことに留意されたい。MSBが広帯域PMIの一部であるとき、広帯域PMI全体が別に符号化され、送られる場合と比較してオーバーヘッドが節約されるように、広帯域PMIの一部のみであるMSBが別に符号化され、送られる。さらに、MSBがPMIの主要な構成要素情報として使用され、たとえばLSB(Least Significant Bits、最下位ビット)など、MSB以外のPMIの構成要素情報が正しく送られない場合であっても、システム性能に対する影響は小さい。
【００４６】
103:端末は、符号化情報をデータ送信端に送る。
【００４７】
具体的には、端末は、物理アップリンク制御チャネルPUCCHを介して符号化情報をデータ送信端に送ることができる。さらに、符号化情報がPUCCHを介して送られるとき、ランク表示(Rank Indication, RI)のものと同じ期間が使用され得る、
または
端末は、物理アップリンク共有チャネルPUSCHを介して符号化情報をデータ送信端に送ることができる。
【００４８】
さらに、符号化情報は、図2または図3に示すように、復調パイロット(demodulation pilot)または基準信号の両側にあり、チャネルインターリーバを介してPUSCH復調パイロットまたは基準信号(Reference Signal、RS)と隣接する位置にマップされ得、S0からS13は、サブフレームにおけるSC-FDMAシンボルを表し、MSBブロックは、符号化情報がマップされる位置を示し、RSブロックは、RSがマップされる位置を示す。
【００４９】
さらに、PUSCHがMIMO(multiple input multiple output、多入力多出力)マルチレイヤ送信を採用するとき、符号化情報を、送信のためにすべての層にマップすることができる。
【００５０】
104:データ送信端は、端末によって送られた符号化情報を受信する。
【００５１】
具体的には、データ送信端は、物理アップリンク制御チャネルPUCCHを介して端末によって送られた符号化情報を受信することができ、
または
具体的には、データ送信端は、物理アップリンク共有チャネルPUSCHを介して端末によって送られた符号化情報を受信することができる。
【００５２】
さらに、データ送信端が物理アップリンク共有チャネルPUSCHを介して端末によって送られた符号化情報を受信するとき、符号化情報は、復調パイロットまたは基準信号の両側にあり、チャネルインターリーバを介して復調パイロットまたは基準信号と隣接する位置にマップすることができ、図2または図3のMSBによって示される位置で受信され得る。
【００５３】
マッピング関係がプリコーディングマトリックスインジケータPMIとプリコーディングマトリックスとの間に存在し、マッピング関係は、異なる最上位ビットMSBを有する2つのPMIに対応するプリコーディングマトリックス間の距離を、異なる最下位ビットLSBを有する2つのPMIに対応するプリコーディングマトリックス間の距離よりも大きくなるようにすることができ、距離は、
【００５４】
【数１２】
0005967727.tif 000013
【００５５】
の弦距離と定義され得ることにさらに留意されたい。式中、dA,Bは、同じ次元を有する2つの行列AとBとの間の弦距離を表し、AHは、行列Aの共役転置を表し、
【００５６】
【数１３】
0005967727.tif 000014
【００５７】
は、フロベニウスノルム(Frobenius norm)を表す。明らかに、距離は、実際的な使用条件に従って柔軟に定義することもでき、これはここでは特に制限されない。
【００５８】
広帯域PMIのMSBは広帯域PMIの一部でもよく、または広帯域PMI全体でもよいことに留意されたい。
【００５９】
さらに、広帯域PMIのMSBを取得した後、データ送信端は、他のフィードバック方法を介して取得された広帯域または周波数選択性プリコーディング情報とともに、信頼性が高い広帯域または周波数選択性プリコーディングマトリックスをさらに取得することができることに留意されたい。
【００６０】
本発明の実施形態に記載されているプリコーディング情報を送受信する方法では、広帯域PMIのMSBは別に符号化され、送られ、これによって、広帯域プリコーディング情報の信頼性が向上し、誤り伝搬が低減し、その結果プリコーディング性能がさらに向上する。
【００６１】
図4を参照すると、本発明の一実施形態は、プリコーディング情報を送る方法を提供し、システム帯域幅は、少なくとも1つのサブバンドに分割され、方法は次のステップを含む。
【００６２】
201:端末は、広帯域PMIを取得する。
【００６３】
具体的には、端末は、あらかじめ設定された基準に従って広帯域PMIを取得することができ、明らかに、従来技術における他の方法に従って広帯域PMIを取得することもできる。端末があらかじめ設定された基準に従って広帯域PMIを取得する一例では、端末は、あらかじめ設定された基準1に基づいて広帯域プリコーディングマトリックスインジケータPMIを計算することができ、これは、具体的には式(1)に示される。明らかに、あらかじめ設定された基準に対応する目的関数は、実際の使用条件に従って柔軟に設定することもでき、これはここでは特に制限されない。
【００６４】
代わりに、端末は、あらかじめ設定された基準2に基づいて広帯域プリコーディングマトリックスインジケータPMIを計算し、これは、具体的には式(2)および(3)に示される。明らかに、あらかじめ設定された基準に対応する目的関数は、実際の使用条件に従って柔軟に設定することもでき、これはここでは特に制限されない。
【００６５】
さらに、広帯域PMIを取得した後、方法は、以下のステップを含むこともできる。
【００６６】
202:端末は、広帯域PMIのMSBおよびNビットの他の情報を一緒に符号化し、この場合、MSBは、広帯域PMIの一部である。
【００６７】
具体的には、ステップ201で取得された広帯域PMIのMSB(Most Significant Bits、最上位ビット)は、Aビットによって表され、Nビットの他の情報は、たとえばランク表示RIまたはハイブリッド自動再送要求HARQの応答(ACK/NACK)情報など、MSB以外の広帯域PMIのビットでもよい。端末は、広帯域PMIのMSBおよびNビットの他の情報をA+Nの長さを有するビットシーケンスに結合する。
【００６８】
さらに、端末は、コード(20, A+N)を介してA+Nの長さを有するビットシーケンスを符号化し、符号化は、図1に示した実施形態のものと類似していてもよい。
【００６９】
明らかに、適用された符号化方法は、実際の使用条件に従って柔軟に選択することもでき、これはここでは特に制限されない。
【００７０】
さらに、広帯域PMIのMSBは広帯域PMIの一部でもよく、または広帯域PMIのすべてのビットでもよいことに留意されたい。
【００７１】
203:端末は、符号化情報をデータ送信端に送る。
【００７２】
具体的には、端末は、物理アップリンク制御チャネルPUCCHを介して符号化情報をデータ送信端に送ることができる。さらに、符号化情報がPUCCHを介して送られるとき、ランク表示(RI)の期間と同じ期間が使用され得る、
または
端末は、物理アップリンク共有チャネルPUSCHを介して符号化情報をデータ送信端に送ることができる。
【００７３】
さらに、符号化情報は、図2または図3に示すように、PUSCH復調パイロットまたは基準信号の両側にあり、チャネルインターリーバを介して復調パイロットまたは基準信号(Reference Signal、RS)と隣接する位置にマップされ得、S0からS13は、サブフレームにおけるSC-FDMAシンボルを表し、MSBブロックは、符号化情報がマップされる位置を示し、RSブロックは、RSがマップされる位置を示す。
【００７４】
さらに、PUSCHがMIMO(multiple input multiple output、多入力多出力)マルチレイヤ送信を採用するとき、符号化情報を、送信のためにすべての層にマップすることができる。
【００７５】
204:データ送信端は、端末によって送られた符号化情報を受信する。
【００７６】
具体的には、データ送信端は、物理アップリンク制御チャネルPUCCHを介して端末によって送られた符号化情報を受信することができ、
または
具体的には、データ送信端は、物理アップリンク共有チャネルPUSCHを介して端末によって送られた符号化情報を受信することができる。
【００７７】
さらに、データ送信端が物理アップリンク共有チャネルPUSCHを介して端末によって送られた符号化情報を受信するとき、符号化情報は、復調パイロットまたは基準信号の両側にあり、かつチャネルインターリーバを介して復調パイロットまたは基準信号と隣接する位置にマップすることができ、図2または図3のMSBによって示される位置で受信され得る。
【００７８】
マッピング関係がプリコーディングマトリックスインジケータPMIとプリコーディングマトリックスとの間に存在し、マッピング関係は、異なる最上位ビットMSBを有する2つのPMIに対応するプリコーディングマトリックス間の距離を、異なる最下位ビットLSBを有する2つのPMIに対応するプリコーディングマトリックス間の距離よりも大きくなるようにすることができ、距離は、式(5)に示すように、弦距離と定義され得ることにさらに留意されたい。明らかに、距離は、実際的な使用条件に従って柔軟に定義することもでき、これはここでは特に制限されない。
【００７９】
広帯域PMIのMSBは広帯域PMIの一部でもよく、または広帯域PMIのすべてのビットでもよいことに留意されたい。
【００８０】
さらに、広帯域PMIのMSBを取得した後、データ送信端は、他のフィードバック方法を介して取得された広帯域または周波数選択性プリコーディング情報とともに、信頼性が高い広帯域または周波数選択性プリコーディングマトリックスをさらに取得することができることに留意されたい。
【００８１】
本発明の実施形態に記載されているプリコーディング情報を送受信する方法では、広帯域PMIのMSBおよびNビットの他の情報は一緒に符号化され、送られ、これによって、広帯域プリコーディング情報の信頼性が向上し、誤り伝搬が低減し、その結果プリコーディング性能がさらに向上する。
【００８２】
上記の方法の実施形態に対応する図5を参照すると、本発明の一実施形態は、プリコーディング情報を送るデバイスを提供する。デバイスは、帯域幅が少なくとも1つのサブバンドに分割されるシステムに適用可能であり、以下を含む。
【００８３】
情報取得ユニット301は、広帯域プリコーディングマトリックスインジケータPMIを取得するように構成される。
【００８４】
具体的には、端末は、あらかじめ設定された基準に従って広帯域PMIを取得することができ、明らかに、従来技術における他の方法に従って広帯域PMIを取得することもできる。端末があらかじめ設定された基準に従って広帯域PMIを取得する一例では、情報取得ユニットは、あらかじめ設定された基準1に基づいて広帯域プリコーディングマトリックスインジケータPMIを計算し、これは、具体的には式(1)に示される。
【００８５】
代わりに、情報取得ユニットは、あらかじめ設定された基準2に基づいて広帯域プリコーディングマトリックスインジケータPMIを計算し、これは、具体的には式(2)および(3)に示される。
【００８６】
明らかに、あらかじめ設定された基準に対応する目的関数は、実際の使用条件に従って柔軟に設定することもでき、これはここでは特に制限されない。
【００８７】
情報符号化ユニット302は、広帯域PMIのMSBを別に符号化するか、または広帯域PMIのMSBおよびNビットの他の情報を一緒に符号化して、符号化情報を取得するように構成され、MSBが広帯域PMIの一部であり、Nが自然数である。
【００８８】
情報送信ユニット303は、情報符号化ユニットによって符号化された情報をデータ送信端に送るように構成されている。
【００８９】
本発明の実施形態のプリコーディング情報を送るデバイスは、具体的には端末でもよい。
【００９０】
本発明の実施形態に記載されたプリコーディング情報を送るデバイスでは、広帯域PMIのMSBが別に符号化され、送られるか、または広帯域PMIのMSBおよびNビットの他の情報が一緒に符号化され、送られ、これによって、広帯域プリコーディング情報の信頼性が向上し、誤り伝搬が低減し、その結果プリコーディング性能がさらに向上する。
【００９１】
上記の方法の実施形態に対応する図6を参照すると、本発明の一実施形態は、プリコーディング情報を受信するデバイスを提供する。デバイスは、帯域幅が少なくとも1つのサブバンドに分割されるシステムに適用可能であり、以下を含む。
【００９２】
情報受信ユニット601は、端末によって送られた符号化情報を受信するように構成されている。ここでは、符号化情報が、広帯域PMIのMSBを別に符号化するか、または広帯域PMIのMSBおよびNビットの他の情報を一緒に符号化することによって、端末が広帯域プリコーディングマトリックスインジケータPMIを取得した後に取得された情報であり、MSBが広帯域PMIの一部であり、Nが自然数である。
【００９３】
本発明の実施形態に記載されたプリコーディング情報を受信するデバイスでは、広帯域PMIのMSBを別に符号化した後、または広帯域PMIのMSBおよびNビットの他の情報を一緒に符号化した後、端末によって送られた情報が受信され、これによって、広帯域プリコーディング情報の信頼性が向上し、誤り伝搬が低減し、その結果プリコーディング性能がさらに向上する。
【００９４】
上記の実施形態におけるデータ送信端は、NodeB(ノードB)、BS(Base Station、基地局)、ホーム基地局、または中継局でもよく、上記の実施形態における端末は、UE(User Equipment、ユーザ機器)またはMS(Mobile Station、移動局)でもよい。
【００９５】
本発明の実施形態による技術的なソリューションにおけるコンテンツのすべてまたは一部は、ソフトウェアプログラミングによって実施することができる。ソフトウェアプログラムは、たとえばコンピュータのハードディスク、光ディスク、またはフロッピー（登録商標）ディスクなどの可読媒体に記憶される。
【００９６】
上記の説明は、単に本発明の例示的な実施形態にすぎず、本発明を限定するものではない。本発明の意図および原理を逸脱することなくなされる任意の変更、均等の置換、または改善は、本発明の保護範囲内に含まれるものとする。
【符号の説明】
【００９７】
301  情報取得ユニット
302  情報符号化ユニット
303  情報送信ユニット
601  情報受信ユニット
【図１】
0005967727.tif 000015
【図２】
0005967727.tif 000016
【図３】
0005967727.tif 000017
【図４】
0005967727.tif 000018
【図５】
0005967727.tif 000019
【図６】
0005967727.tif 000020